(57)【要約】小幅側で立つ扁平な送付物のためのスタッキング装置であって、該スタッキング装置が、供給される送付物（１１，１２）を、これらの送付物が制動される支持壁（２）の方に向かってスタッキングベース（１）上のスタッキング位置へガイドするためのガイド手段を有しており、更に、スタッキング方向でリニアガイド（３，４）に沿って摺動可能なスタッカプレート（５）を有しており、該スタッカプレートに、増えていくスタックの方に方向付けられた、摺動域にわたってほぼ一定の圧着力を発生させるためのばね部材が作用するようになっている。このばね部材の可動部分には、スタッキング位置から離反して方向付けられた運動時にしか作用しない緩衝部材の可動部分が固定されている。ばね部材がスプール（８）に巻き付けられた渦巻きばね（９）として形成されている場合は、繰出し運動時にしか作用しない回転ダンパ（６）がスプール（８）に、回転する構成部材と定置の構成部材とが互いに結合されているように固定されている。
2004507418.tif 000002
【特許請求の範囲】
【請求項１】
小幅側で立つ扁平な送付物のためのスタッキング装置であって、該スタッキング装置が、供給される送付物（１１，１２）を、これらの送付物が制動される支持壁（２）の方に向かってスタッキングベース（１）上のスタッキング位置へガイドするためのガイド手段を有しており、更に、スタッキング方向でリニアガイド（３，４）に沿って摺動可能なスタッカプレート（５）を有しており、該スタッカプレートに、増えていくスタックの方に方向付けられた、摺動域にわたってほぼ一定の圧着力を発生させるためのばね部材が作用する形式のものにおいて、
前記ばね部材に、スタッキング位置から離反して方向付けられた運動の場合にしか作用しない緩衝部材の可動部分が固定されていることを特徴とする、小幅側で立つ扁平な送付物のためのスタッキング装置。
【請求項２】
ばね部材が、スプール（８）に巻き付けられた渦巻きばね（９）として形成されており、前記スプール（８）に、繰出し運動時にしか作用しない回転ダンパ（６）が、回転する構成部材と定置の構成部材とが互いに結合されているように固定されている、請求項１記載のスタッキング装置。
【請求項３】
回転ダンパ（６）にフリーホイールが設けられている、請求項２記載のスタッキング装置。
【請求項４】
回転ダンパ（６）が、位置偏差を補償する継ぎ手（１０）を介してスプール（８）と結合されている、請求項２記載のスタッキング装置。
【発明の詳細な説明】
【０００１】
本発明は、小幅側で立つ扁平な送付物のためのスタッキング装置に関する。このスタッキング装置は供給される送付物を、これらの送付物が制動される支持壁の方に向かってスタッキングベース上でガイドするためのガイド手段を有している。更に、当該スタッキング装置は、スタッキング方向でリニアガイドに沿って摺動可能なスタッカプレートを有しており、このスタッカプレートには、増えていくスタックの方に方向付けられた、摺動域にわたってほぼ同じ圧着力を発生させるための、スプールに巻き付けられた渦巻きばねが作用する。
【０００２】
この渦巻きばねは、小さな運動エネルギを有する送付物の場合に、進入する各送付物によってスタッカプレートに加えられる力に基づき、スタッカプレートがスタッキング位置から離れて押しずらされるように設定されている。
【０００３】
比較的大きな運動エネルギ（ｖ＝４ｍ／ｓ，ｍ＞３０ｇ）を有する送付物がスタッキングされる場合は、スタッカプレート若しくは増えていくスタックに送付物が衝突することによって生じるパルスにより、スタッカプレートが渦巻きばねの力に抗して送付物若しくはスタックからパルス状に離反運動する。これにより、スタッカプレートは一時的に送付物に接触しなくなり、スタッキングしようとする送付物は支持壁から跳ね返される。
【０００４】
この作用を防止するための公知の手段（ヨーロッパ特許第０６２６９２７号明細書）では、スタッカプレートにおいて渦巻きばねによって生ぜしめられる力に加えて付加的に、スタッカプレートの運動範囲の開始域内で、スタッキング位置付近に別の力が、スタッカプレートと協働する楔形成形プレートによって生ぜしめられる。比較的重たい送付物がスタッキングされると、より確実に保持するために必要とされるばね力より大きな力が、前記楔形成形プレートの傾斜面との接触によってスタッカプレートに生ぜしめられる。この力は断続的にしか可変でなく且つ送付物スタックの最初の部分にしか生ぜしめられない。スタックの厚みが増すにつれて該スタックがより弾性的になり、これによりスタックの跳返りが頻繁に防止されるにも関わらず、比較的大きなスタック厚さを有する、既にスタッキングされたスタック（例えばスタッキングされた複数の厚く硬い送付物）においても、スタッカプレートの、送付物からのパルス状の離反運動が生じる恐れがある。
【０００５】
請求項１記載の本発明の課題は、スタッキング範囲全体にわたって、スタッキング位置に進入する送付物の運動エネルギの高さとは無関係に、スタッカプレートがスタックからパルス状に離反することが防止され、しかも、前記運動エネルギに常に比例して高められる対応力が生ぜしめられる、冒頭で述べた形式の、ばね部材によってスタックの方へ押圧されるスタッカプレートを備えたスタッキング装置を提供することである。
【０００６】
重い送付物における極端に高いエネルギの一時的な低下に基づいた、運動範囲全体にわたるスタッカプレートの運動の緩衝は、スタッキングしようとする送付物の運動エネルギが高ければ高いほど、余計に作用する。進入する送付物の運動エネルギが高ければ高いほど、スタッカプレートが送付物スタックから遠ざかろうとする比較的高い速度に基づき惹起される緩衝部材の制動モーメントは大きくなる。
【０００７】
本発明の有利な構成は、請求項２以下に記載されている。
【０００８】
ばね部材を渦巻きばねとして形成した場合に、該渦巻きばねのスプールに繰出し運動時にしか作用しない回転ダンパを固定し、これにより、回転する構成部材と定置の構成部材とが互いに結合されていると有利である。この場合、回転ダンパにフリーホイールを装備することが有利である。
【０００９】
製作誤差を補償するためには、回転ダンパを、位置偏差を補償する継ぎ手を介してスプールと結合することが有利である。
【００１０】
以下に、本発明の実施例を図面につき詳しく説明する。
【００１１】
図１で認識されるように、ベース１は２本の滑りレールを有しており、これらの滑りレールに沿って、送付物はスタックの増大に伴い、なるべく小さな摩擦抵抗を以て滑動する。ベース１に対してほぼ垂直方向で支持壁２が位置しており、この支持壁２にはリニアガイドの丸いガイドレール３が固定されている。このガイドレール３に沿ってボールブシュ４が延びており、このボールブシュ４には旋回可能なスタッカプレート５が取り付けられている。送付物は、図面で見て右側でスタッカスピンドル７の右側の巻き条を介してスタッカプレート５に対して斜めに到達するか、若しくはその後はスタックの最も手前の送付物に到達し且つスタッカプレート５にパルスを加えるので、このスタッカプレート５はスタッキング位置から離れて押しずらされる。回転するスタッカスピンドル７は、送付物後部を迅速に左側に向かって運動させるために働く。これにより、短い間隔をおいて続く次の送付物が先行送付物の後縁部にぶつからないということが保証される。更に、回転ダンパ６も見えている。この回転ダンパ６の機能は、図２に基づき以下に詳しく説明する。
【００１２】
摺動可能なボールブシュ４には、回転可能に支承されたスプール８に巻き付けられたベルト状の渦巻きばね９の一方の端部が固定されている。この渦巻きばね９の他方の端部は、スプール８と結合されるか、又は摩擦のみによってスプール８に保持されてよい。渦巻きばね９により、そのフラットなばね特性線に基づいて摺動域全体にわたってスタッカプレート５はほぼ一定の力で、増えていく送付物スタックに対して押圧される。スプール８は、摺動及び不正確さを補償するために働く継ぎ手１０を介して、１回転方向でしか作用しない回転ダンパ６と結合されており、この場合、可動構成部材同士及び不動構成部材同士が互いに結合されている。回転ダンパ６はフリーホイールを有しており且つ渦巻きばね９を繰り出すときにしか作用しないので、渦巻きばね９の巻取りは制動無しで延いては迅速に行われる。約３０ｇよりも大きな質量及び約４ｍ／ｓのスタッキング速度を有する送付物１１，１２をスタッキングする場合、スタッカプレート５が、支持壁２及び当該スタッカプレート５又は送付物スタックに送付物１１，１２が衝突することによって惹起される速度を以てパルス状にリニアガイドに沿って運動しようとすることに基づき、運動エネルギが回転ダンパ６を介して低下される。エネルギが回転ダンパ６によって一時的に低下されるので、スタッカプレート５が送付物スタックに接触しなくなることは決してない。約３０ｇよりも小さな質量を有する送付物１１，１２は、４ｍ／ｓのスタッキング速度において小さな運動エネルギしか有さないので、スタッカプレート５は、ばね力に抗して送付物スタックからパルス状に離れようとはしない。
【００１３】
図３及び図４には、第１の送付物１１及び第２の送付物１２から始まる、増えていく送付物スタックを備えたスタッキング装置が描かれている。
【図面の簡単な説明】
【図１】
スタッキングベースを備えたスタッキング装置を送付物無しで示した斜視図である。
【図２】
支持壁が外されて、回転ダンパと渦巻きばねとが示された図１の部分斜視図である。
【図３】
スタッキングされた１つの送付物を備えたスタッキング装置の斜視図である。
【図４】
スタッキングされた２つの送付物を備えたスタッキング装置の斜視図である。
【符号の説明】
１　スタッキングベース、　２　支持壁、　３　ガイドレール、　４　ボールブシュ、　５　スタッカプレート、　６　回転ダンパ、　７　スタッカスピンドル、　８　スプール、　９　渦巻きばね、　１０　継ぎ手、　１１，１２　送付物
【国際公開パンフレット】
2004507418.tif 000003
2004507418.tif 000004
2004507418.tif 000005
2004507418.tif 000006
2004507418.tif 000007
2004507418.tif 000008
2004507418.tif 000009
2004507418.tif 000010
2004507418.tif 000011
2004507418.tif 000012
2004507418.tif 000013
【国際調査報告】
2004507418.tif 000014
2004507418.tif 000015
2004507418.tif 000016
2004507418.tif 000017